(57)【要約】【課題】目地の防水性及び装飾性に優れ、外壁材の損傷も脱落の虞もなく、外壁のメンテナンスを容易に行うことができる外壁目地見切り材取付装置を提供する。【解決手段】帯板状の目地見切り材と、取付金具と、固定ブロックとからなる。目地見切り材は、高さ方向中間部に背面方向に延出する固定壁を有し、上端部と高さ方向中間部に背面に突出する弾性止水材が取り付けてある。取付金具は、薄い金属板で構成され、挟持板と位置決め片と圧接片及び係止片が設けてある。目地見切り材と取付金具は止水材よりも外側でビスにより結合される。固定ブロックは、取付金具の挟持片により保持される。【選択図】  図１
2009041305.tif 000002
【特許請求の範囲】
【請求項１】
帯板状の目地見切り材と、取付金具と、固定ブロックとからなり、
前記目地見切り材は、外壁材相互間の目地を被覆する高さ（又は幅）を有するとともに、高さ方向中間部に背面方向に延出する固定壁を有し、かつ、上端部と高さ方向中間部に背面に突出する弾性止水材が取り付けてあり、
前記取付金具は、ばね性を有する薄い金属板で構成され、幅方向一端側の下側に他端方向に伸びる挟持板と、幅方向一端側の上側に他端方向に傾斜する圧接片及び係止片が設けてあるものであり、
目地見切り材と取付金具は前記止水材よりも外側においてビスにより結合されるものであり、
前記固定ブロックは、前記取付金具の挟持片により保持されるものであることを特徴とする外壁目地見切り材取付装置。
【請求項２】
取付金具には、圧接片よりも目地見切り材側に位置決め片が設けてあることを特徴とする請求項１に記載の外壁目地見切り材取付装置。
【請求項３】
係止片は、背の高いものと、背の低いものが設けてあることを特徴とする請求項１又は２に記載の外壁目地見切り材取付装置。
【請求項４】
目地見切り材の固定壁の基端部に排水溝を形成してあり、その排水溝の長手方向端部に切欠が設けられていることを特徴とする請求項１、２又は３に記載の外壁目地見切り材取付装置。
【発明の詳細な説明】
【技術分野】
【０００１】
本発明は、取り付けた外壁材相互間に生じる目地に防水・装飾のための見切り材を取付ける装置に関する。
【背景技術】
【０００２】
建物の外壁は、完成した外壁材を建物下地に連続的に設置して構成されるから、外壁材相互間に目地（隙間）が形成される。そして、一般的に上層階の外壁材と下層階の外壁材の間の目地は胴差しの屋外側に位置する。この目地は、建物の防水上及び外観体裁上好ましくないので、目地に対しては従来から、防水施工又は防水施工と装飾施工が種々行われている。
【０００３】
防水施工には、古い技術に属する湿式工法として、現場施工により目地にコーキング材を充填するものがある。また、比較的新しい技術である乾式工法として、工場製品であるガスケットを目地に嵌め込むものがある（例えば、特許文献１，２）。
さらに、比較的最近の技術である乾式工法として、帯状の化粧材を目地の両側に存する外壁材の端縁同士に跨るように取り付けて、目地を隠蔽して止水すると同時に装飾効果を備えるものが知られている（例えば、特許文献３，４）。
【特許文献１】特開平１１−２８０１６７号公報
【特許文献２】特開平１１−３２４１５０号公報
【特許文献３】特開平  ７−２１７１７９号公報
【特許文献４】特開平１０−  ３０２９５号公報
【発明の開示】
【発明が解決しようとする課題】
【０００４】
しかしながら、コーキングを用いる湿式工法は、現場施工に時間がかかるほか、耐久性に乏しく、経年劣化により亀裂や剥離や変色を生じたり、高い外気温度によりダレと称する軟化弛緩変形により、目地部分の外観を損なうことがある。
【０００５】
また、ガスケットは、工場生産品であるから、現場での施工は、比較的迅速に行えるが、合成樹脂又はゴム製であるため、経年劣化により、コーキングと同様の問題を有することに加え、弾性を利用して目地に単に押し込んで嵌め付けるだけで固定するため、ガスケットの劣化、硬化、収縮などにより、漏水の虞と脱落の虞がある。脱落防止を図ったものも知られているが、その脱落防止のためのガスケットの取付工法が容易でないという問題がある。
【０００６】
化粧材を目地の外側に取り付けて、止水機能と装飾機能を兼備する乾式工法は、上記ガスケットの欠点を解消する特長を有するので、最近注目されているが、従来技術は、片面又は両面に弾性円弧板からなる挿入部を有する平板状の取付金具を、その弾性挿入部を目地に押し込んで外壁材の対向面に押圧接触されて固定し、その取付金具の外側の上方から、これを隠蔽する態様で帯状の化粧材を引っ掛けて係止するものである。取付金具は短尺物であるから、防水性能に劣る。また、弾性挿入部の定着力は大きくないので、抜脱する可能性があることから、確実に固定するため、取付金具の外側から外壁材の端縁付近にねじをねじ込むなどして固着している。しかし、外壁材の端縁付近は比較的強度が小さいため、ねじ又は釘などにより固着する際に、破壊される虞があり、深刻な事態が発生しないとも限らない。
【０００７】
化粧材を取り付けるもう一つの先行技術は、取付金具をこれに屋外側から貫通したボルトを目地に通し、外壁材の裏側に存する胴差しなどの下地に貫通して、そのボルトにナットを螺合することにより取付金具を固定し、その取付金具に形成してある下側の弾性係止片を化粧材の背面の係止部に係止した状態で、その化粧材を下側の弾性係止片の弾力に抗して引き上げ、その化粧材の上端部を取付金具の上端部に係止すると同時に取付金具の上側の弾性押圧片で化粧材の背面を外方に押圧させることにより、脱落しないように固定している。
しかし、この先行技術の場合は、取付金具と化粧材の固定構造が、化粧材を一旦固定してしまうと、取り外すことができない構造となっている。また、取付金具が外壁材でなく、胴差しなどの躯体側に固定されている。そのため、外壁材のメンテナンスや交換などを容易に行うことができないという問題がある。
【０００８】
本発明は、上記の事情に鑑みてなされたものである。すなわち、解決しようとする課題は、目地の防水性及び装飾性に優れ、外壁材の損傷も脱落の虞もなく、外壁のメンテナンスを容易に行うことができる外壁目地見切り材取付装置を提供することにある。
【課題を解決するための手段】
【０００９】
上記課題を解決するため、本発明に係る外壁目地見切り材取付装置は、帯板状の目地見切り材と、取付金具と、固定ブロックとからなり、目地見切り材は、外壁材相互間の目地を被覆する高さ（又は幅）を有するとともに、高さ方向中間部に背面方向に延出する固定壁を有し、かつ、上端部と高さ方向中間部に背面に突出する弾性止水材が取り付けてあり、前記取付金具は、ばね性を有する薄い金属板で構成され、幅方向一端側の下側に他端方向に伸びる挟持板と、幅方向一端側の上側に他端方向に傾斜する圧接片及び係止片が設けてあるものであり、目地見切り材と取付金具は前記止水材よりも外側においてビスにより結合されるものであり、前記固定ブロックは、前記取付金具の挟持片により保持されるものであることを特徴としています。
上記構成により、目地見切り材と取付金具とをビスで結合し、固定ブロックを挟持してユニット化し、前記取付金具を係止片側から前記目地に嵌め込んで、前記取付金具の弾性復帰した係止片を前記外壁材の肩に係止するとともに、前記圧接片を一方の外壁材の他方の外壁材に対向する面に圧接した状態で所定の位置に固定され、目地見切り材と両側の外壁材との間に止水材により止水機能が確保される。
【００１０】
取付金具には、圧接片よりも目地見切り材側に位置決め片が設けてあることが望ましい。これにより、取付金具と目地見切り材の相対的位置決めが容易確実にできるから、ビスによる結合が容易にできる。
【００１１】
係止片は、背の高いものと、背の低いものが設けてあることが望ましい。
これにより、大きい目地から小さな目地まで、適用範囲の拡大が可能である。
【００１２】
目地見切り材の固定壁の基端部に排水溝を形成してあり、その排水溝の長手方向端部に切欠が設けられていることが望ましい。
【発明の効果】
【００１３】
請求項１の発明によれば、目地見切り材が取付金具を介して外壁材に対してしっかり係止され、しかも、目地見切り材の抜脱が有効に防止される。乾式工法であるので、現場施工能率が向上し、目地が隠蔽されて装飾効果も容易に得られる。また、止水材が外壁材に圧接するので、止水性能に優れている。外壁材のメンテナンスや交換が必要になったときは、ビスを介して目地見切り材を取り外し、固定ブロックを既存の工具を用いて抜き出し、取付金具の係止片を弾力変形させて、取付金具を抜き出すことにより、外壁材のメンテナンスや交換を容易に行うことができる。しかも、目地見切り材は、上下の外壁材のみで取り付けられ、外壁材にねじなどのねじ込みをする必要がないので、外壁材を破損する虞がない。
【発明を実施するための最良の形態】
【００１４】
続いて、本発明の実施の形態について図面に基づいて説明する。
図１は、本発明に係る外壁目地見切り材取付装置が適用された外壁の断面図、図２は、同装置の構成要素の一つである取付金具の展開図であり、（ａ）は平面図、（ｂ）は正面図、（ｃ）は左側面図である。図３は、取付金具に同装置の他の構成要素である固定ブロックを装着する過程を示す説明図、図４は取付金具とこれに装着されたブロックの位置関係を示す平面図、図５から図８は取付金具と固定ブロックと目地見切り材とを結合してなる見切り材取付ユニットを外壁材の間の目地に取り付ける過程を順次示す断面図である。
【００１５】
本発明に係る外壁目地見切り材取付装置Ａは、上記化粧材に相当する目地見切り材１０と、取付金具２０と、固定ブロック３０とからなっている。
【００１６】
目地見切り材１０は、アルミニウム合金などの金属製形材で形成してあり、上面壁１１と、その上面壁の一端から垂下する外面壁１２と、外面壁の背面の高さ方向中間位置から背面方向に上面壁１１の他端部よりも長く延出する固定壁１３とを一体に有している。
上面壁１１は図示のように水平であるものに限らず、外面壁方向に傾斜又は湾曲しても良く、外面壁に境界無く連続しても良い。外面壁１２は垂直面であるものに限らず、例えば、凹条と突条が交互に形成されるなど任意の装飾的形状を備えたものとすることができる。
【００１７】
そして、上面壁の他端には上部垂下壁１４ａが形成され、その垂下壁に背面方向に開口する溝１５ａが形成してあり、その溝に背面方向に突出する上部弾性止水材１６ａが設けてある。固定壁１３の幅方向ほぼ中央にも、上部垂下壁１４ａと共通する垂直面上に下部垂下壁１４ｂが形成され、その垂下壁に背面方向に開口する溝１５ｂが形成してあり、その溝に背面方向に突出する、上部弾性止水材１６ａと同様の下部弾性止水材１６ｂが設けられている。
【００１８】
固定壁１３の基端部、すなわち、外面壁と接続する部分はＬ字形に屈曲されて、ここに上面に開口する排水溝１３ａが形成されている。固定壁１３は、排水溝１３ａの長手方向端部又は中間部において切欠（図示せず）されて、排水溝１３ａを流れる水は、その切欠から下方に排出されるようになっている。また、固定壁１３には、排水溝１３ａに近接した位置の下側に、後述されるビスをねじ込むための所定の高さを有するビス受け部１３ｂが形成されている。その他、目地見切り材１０には、外部に露見しない任意の位置に任意数の補強リブ１７が形成されている。
【００１９】
取付金具２０は、ばね性を有する短冊形状の薄い金属板を加工して形成されている。図２に示すように、幅方向一端から幅寸法の三分の一くらい他端方向に寄った位置において、目地見切り材１０の固定壁１３のビス受け部１３ｂの高さと等しい距離を隔てた２つの平行線に沿って互いに反対方向に直角に折り曲げて、前記距離を段差とする段部２１の上下に二つの段板２２、２３を形成してある。すなわち、段差はビス受け部１３ｂの高さと等しい。
【００２０】
そして、下側の段板２３の一端の端縁２３ａは上向きに屈曲されている。また、段板２３には、その長手方向中央において、ビス貫通孔２３ｂが形成してある。
【００２１】
上側の段板２２には、長手方向中央に形成したコ字形の切線の内側部分を上側の段板２２の下方にプレスして形成された断面く字形の挟持板２４ａが設けられ、その自由端は下側の段板２３の方向に向けてある。また、上側の段板２２には、長手方向両端部付近の挟持板２４ａよりも段部２１側に寄った位置において、コ字形の切線の内側部分を上側の段板２２の上方にプレスして形成された位置決め片２４ｂが形成され、挟持板２４ａの両隣にコ字形の切線の内側部分を上側の段板２２の上方にプレスして形成された比較的長い
圧接片２４ｃが形成され、それぞれの圧接片２４ｃの挟持板２４ａと反対側に同様の方法により形成された、長さが異なる２種類の係止片２４ｄ，２４ｅが形成されている。挟持板２４ａ、位置決め片２４ｂ、押圧片２４ｃ、係止片２４ｄ，２４ｅは、いずれも下側の段板２３方向に傾けて形成してある。
【００２２】
固定ブロック３０は、取付金具２０が後述するように、外壁材４１，４２の間の目地４３に嵌合された時の安定性と定着力を高めるためのものであり、木材、合成樹脂材などで短冊状に形成され、その幅は取付金具２０の段部から挟持板２４ａの付け根付近までの距離とほぼ等しく、厚みは、取付金具の段部２１の段差にほぼ等しく、さらに、長さは、取付金具の長さよりも若干短い程度である。
【００２３】
上記固定ブロック３０は、図３及び図４に示すように、固定ブロックの幅方向一端から取付金具２０の段部２１と挟持板２４ａの先端との間から挟持板２４ａと上側の段板２２の下面との間に挟持板の弾力に打ち勝って挿入し、挟持板の復元力により挟持して保持することができる。
【００２４】
上記外壁目地見切り材取付装置Ａを用いて目地見切り材１０を上下の外壁材４１，４２の間の目地４３に対して取り付ける場合の工程について、図５ないし図８の図面に基づいて説明する。これらの図において、５０は外壁材４１，４２を固定する桟木又は胴差し（以下、桟木という。）６１、６２のうち、上側の桟木６１の室内側面から下側の桟木６２の上面を経て下側の外壁材４２の上端面まで連続して設けてある水切り板である。
【００２５】
目地見切り材１０を取り付ける前に、図５に示すように、目地見切り材１０と取付金具２０と固定ブロック３０とを次のようにして結合してユニット化する。すなわち、図３に示し、説明したように、まず、取付金具２０に固定ブロック３０を挿入して保持する。続いて、止水材１６ａ，１６ｂを固着した目地見切り材１０の固定壁１３の下面及びビス受け部１３ｂをそれぞれ取付金具２０の上側の段板２２の上面及び段部２１の下側の段板２３の上面に当接するとともに、ビス受け部１３ｂ及び固定壁１３の先端がそれぞれ取付金具２０の段部２１及び位置決め片２４ｂにより止められるまで取付金具方向に押し付けて、取付金具のビス孔２３ｂからビスＢを目地見切り材１０のビス受け部１３ｂにねじ込む。これにより、目地見切り材１０と取付金具２０とを結合し、ブロック３０とともにユニット化する。
【００２６】
さて、図５は、前記見切り材取付ユニットＵを目地４３に嵌め込む直前の状態を示している。取付金具２０の先端を目地４３に対向させ、上部止水材１６ａ及び下部止水材１６ｂをそれぞれ上下の外壁材の４１，４２に対向させた状態で、図６に示すように、取付金具２０の先端側から目地４３に押して嵌め込む。この時、取付金具の挟持片２０ａが下側の外壁材の上端面に、背の高い圧接片２０ｃ及び係止片２４ｄが上側の外壁材４１の下端面に、それぞれ弾力的に当接して、加えられる力に応じて変形して、ユニットＵが全体として目地の奥の方に進行する。上下の止水材１６ａ，１６ｂが圧縮されるまで押し込むと、図７に示すように、それまで弾性変形していた係止片２４ｄ，２４ｅが上側の外壁材４１から解放され、弾性復元する。
【００２７】
そして、その見切り材取付ユニットに加えていた力を除くと、上下の止水材１６ａ，１６ｂが弾性復元することにより、取付金具２０と目地見切り材１０が目地４３から離れる方向に若干移動するが、その時、係止片２４ｄ，２４ｅが上側の外壁材４１の室内側面に当たって係止される。従って、目地見切り材１０は外壁面にしっかり固定され、しかも、目地の上下において止水材１６ａ，１６ｂにより水密性が確保される。
【００２８】
しかし、何らかの理由により、万一、目地見切り材１０の固定壁１３の上面に到達する雨水又は結露水などが到達することがあっても、排水溝１３ａに流入し、その排水溝の長手方向端部に形成してある切欠から排水される。また、水切り板５０に流下する結露水などは、取付金具２０と下側外壁材４２の上面を流下して、下部垂下壁１４ｂの長手方向端部に形成してある切欠（図示せず）から屋外側に排出されるようになっている。
【００２９】
上記構成において、取付金具２０の上側の段板２２の幅寸法は、外壁材４１，４２の厚さに対応するように設定される。
また、取付金具２０の各片根２４ａ，２４ｂ，２４ｃ，２４ｄ，２４ｅは、目地に嵌合される方向と逆方向に傾斜させてあり、それぞればね性を有するので、図９に示すように、同一の取付金具を用いて、背の高い係止片２４ｄのみが係止する程度に目地の幅が大きい場合（図９（ａ））から、背の低い係止片２４ｅのみしか係止できない程度に目地の幅が小さい場合（図９（ｂ））までの広い範囲に渡って適用することができる。なお、図９（ｂ）の場合は、背の高い係止片２４ｄは圧接片２４ｃと同様の作用をするので、取付金具の抜脱防止効果が増強される。
【００３０】
上記のようにして、見切り材取付ユニットＵが取り付けられた後は、取付金具が外壁材に対してしっかり係止されるので、目地見切り材１０の抜脱が有効に防止される。そして、目地見切り材１０は乾式工法であるので、現場施工能率が向上するとともに、目地が隠蔽され、装飾効果も容易に得られる。止水材１６ａ，１６ｂが外壁材４１，４２に圧接するので、止水性能に優れている。また、水切り材５０が設けてあるので、外壁材の内面などに生じて流下する結露水なども、目地見切り材１０の長手方向端部に誘導され、その端部に設けてある切欠から排出される。さらに、外壁材のメンテナンスや交換が必要になったときは、まずビスＢを介して目地見切り材１０を取り外し、続いて、固定ブロック３０を既存の工具を用いて抜き出し、最後に取付金具２０の係止片２４ｄおよび／又は２４ｅを弾力的に変形させて、取付金具２０を抜き出すことにより、外壁材のメンテナンスや交換を容易に行うことができる。しかも、見切り材取付ユニットＵは、上下の外壁材４１，４２のみで取り付けられ、外壁材にねじなどのねじ込みをする必要がないので、外壁材を破損する虞がない。
【図面の簡単な説明】
【００３１】
【図１】本発明に係る外壁目地見切り材取付装置が適用された外壁の断面図
【図２】同装置の構成要素の一つである取付金具の展開図であり、（ａ）は平面図、（ｂ）は正面図、（ｃ）は左側面図。
【図３】取付金具に同装置の他の構成要素である固定ブロックを装着する過程を示す説明図。
【図４】取付金具とこれに装着されたブロックの位置関係を示す平面図。
【図５】取付金具と固定ブロックと目地見切り材とを結合してなる見切り材取付ユニットを外壁材の間の目地に取り付ける過程のうちの嵌め込み前の状態を示す断面図。
【図６】同じく、嵌め込み途中の状態を示す断面図。
【図７】同じく、目地の奥まで嵌め込んだ状態を示す断面図。
【図８】同じく、嵌め込み完了の状態を示す断面図。
【図９】大きさの異なる目地に適用可能なことを説明する断面図。
【符号の説明】
【００３２】
Ａ      外壁目地見切り材取付装置
１０    目地見切り材
１１    上面壁
１２    外面壁
１３    固定壁
１６ａ，１６ｂ  止水材
２０    取付金具
２４ａ  挟持片
２４ｂ  位置決め片
２４ｃ  圧接片
２４ｄ，２４ｅ    係止片
３０    固定ブロック
４１    上側の外壁材
４２    下側の外壁材
４３    目地
５０    水切り材
【図１】
2009041305.tif 000003
【図２】
2009041305.tif 000004
【図３】
2009041305.tif 000005
【図４】
2009041305.tif 000006
【図５】
2009041305.tif 000007
【図６】
2009041305.tif 000008
【図７】
2009041305.tif 000009
【図８】
2009041305.tif 000010
【図９】
2009041305.tif 000011